(57)【要約】【課題】カメラ操作者の使いにくさを解決し、個々の操作者の要望に合わせ様々な硬度を得ることが可能であり、肩にフィット感を得たてることが可能な放送カメラ用ショルダパッドを提供する。【解決手段】内部に形成された発泡性樹脂部材６と、その外側に形成された植毛層８とを備えた放送カメラ用ショルダパッドであって、前記発泡性樹脂部材６は、発泡性樹脂を発泡させることにより、当該発泡性樹脂の表層に、表面の発泡の径が小さく、発泡が内部より緻密に配されている発泡性樹脂部材７を形成した。【選択図】　　　　図１
2004015510.tif 000002
【特許請求の範囲】
【請求項１】
内部に形成された発泡性樹脂部材と、その外側に形成された植毛層とを備えた放送カメラ用ショルダパッドであって、
前記発泡性樹脂部材は、発泡性樹脂を発泡させることにより、表面の発泡の径が内部より小さく、発泡が内部より緻密に配されている発泡部材を表面に形成したことを特徴とする放送カメラ用ショルダパッド。
【発明の詳細な説明】
【０００１】
【発明の属する技術分野】
本発明は、カメラ操作者の体型と操作法の要望に応じて肩にフィット感を与える放送カメラ用ショルダパッドに関する。
【０００２】
【従来の技術】
図５は、従来例によるパッドの構成を示す断面図である。図５に示すパッドは、放送カメラを肩に載せるとき使用する例を示し、素材にポリウレタン樹脂１を用い、使用者の肩に載せるための肩との接触面４の反対側にはカメラ本体取付面５を設け、全体を鞍型の形状としている。ポリウレタン樹脂１の中にはカメラ本体取付金具２を埋め込み、ポリウレタン樹脂１とカメラ本体取付金具２にカメラ本体取付穴３を設けている。
なお、従来より発泡ウレタン成型に関する射出成型技術として、特開平１１−１５５０８９号公報では、軟質塩化ビニール、ゴム材、プラスチック材を成形加工して、外表面をショルダパッド形状に保形し、また、クッション材として外圧に対し変形速度が速い軟質発泡ウレタンを用いるようにしたビデオカメラのショルダパッドが開示されている。
また、特開２０００−２１７０２０号公報では、ウレタンフォームにより外表面を滑り難く、且つ柔軟性、耐久性を持たせるとともに、表皮内にプラスチック材の粉体あるいはシリコンのゲル状体からなる流動体を充填したビデオカメラのショルダパッドが開示されている。さらに、特開平８−２７５０３７号公報では、シリコンゴムの被覆層をシリコンゴムに浸漬して形成して外表面を形成すると共に、芯材をウレタンスポンジとしたショルダパッドが開示されている。また、特開平８−１８１８９５号公報では、芯材（強化プラスチック）の下側に弾性のパッド部材（シリコン系発泡材）を設けた２層構造を有するショルダーパッドが開示されている。
【０００３】
【発明が解決しようとする課題】
しかし、上述した従来のショルダパッドは、高価な射出成形型により製作していた。このため、個々のカメラ操作者の体型や操作法からくる要望事項に対して多数の成形型を製作することは現実的に不可能であり、従って、個々の要求に対応できず、全体に１個の形状に集約し、製作して放送カメラに取り付けていた。このため、カメラ操作者は各個人別にカメラが肩にフィットせず、使いにくいという不満を持っていた。
なお、上記各公報に示した射出成型では、良品が製作できるものの、１個当たりの単価が高くなり、カメラ操作者の体型と操作法の要望に応じた対応ができないという問題点があった。
【０００４】
本発明は上述した点に鑑みてなされたもので、カメラ操作者の使いにくさを解決し、個々の操作者の要望に合わせ様々な硬度を得ることが可能であり、肩にフィット感を得ることが可能な放送カメラ用ショルダパッドを安価且つ短期間に提供することを目的とする。
【０００５】
【課題を解決するための手段】
前記目的と達成するために、本発明に係る放送カメラ用ショルダパッドは、内部に形成された発泡性樹脂部材と、その外側に形成された植毛層とを備えた放送カメラ用ショルダパッドであって、前記発泡性樹脂部材は、発泡性樹脂を発泡させることにより、表面の発泡の径が内部より小さく、発泡が内部より緻密に配されている発泡部材を表面に形成したことを特徴とするものである。この構成によれば、内部には軟らかい発泡性樹脂部材を形成し、表層には緻密・平滑な発泡部材を形成して、個々の操作者の要望に合わせた硬度を得ることが可能であり、かつ肩にフィット感を与えることが可能な放送カメラ用ショルダパッドを得られる。
【０００６】
【発明の実施の形態】
図１と図２は、放送カメラを肩に載せるときに使用するパッドの構成を示す断面図と肩接触面からみた斜視図である。図示されるパッドは、肩との接触面４の曲面モデルを、使用者の要望に応じて予め作り、その曲面を３次元数値のデータに置き換えた樹脂製または金属製成形型を作成し、その型を用いて素材として用いる成型時型内投入樹脂液量を変えることで自由に硬度を変更できるようにしたものであり、内部には自由に発泡して軟らかい発泡性樹脂部材（例えば発泡ウレタン樹脂層）６と、表層には成形型で表面の発泡の径が内部より小さく、発泡が内部より緻密に配され、平滑で耐久性のある発泡性部材７とを形成している。そして、表面には丈夫な植毛層８を設け、重量物であるカメラの滑りと長期間使用による形状崩れを防止するようにしている。そして、肩との接触面４の反対側にはカメラ本体取付面５を設け、全体を鞍型の形状としている。発泡性樹脂部材６の中にはカメラ本体取付金具２を埋め込み、発泡性樹脂部材６とカメラ本体取付金具２にカメラ本体取付穴３を設けている。
【０００７】
次に、図３は、本発明によるショルダパッドの多様な形状を示す図である。図３（ａ）は、肩との接触面４の勾配が緩く全長が長い例、図３（ｂ）は、肩との接触面４の勾配がきつく全長が短い例を示しており、カメラ操作者の体型・操作法に応じてフィット感を持たせるよう、肩との接触面４を自由曲面で形成した異なる形状のショルダパッドを予め複数個用意しておき、必要に応じて放送用カメラに対し、自由に着脱交換を可能としてある。
図４は、放送カメラへショルダパッドを取り付けた図である。
【０００８】
したがって、上記実施の形態によれば、次の優れた効果を発揮する。
（１）個々のカメラ操作者の体型に合わせ肩にフィットした様々な形状や硬度のショルダパッドを安価に提供できる。
（２）ショルダパッド表面を植毛で覆うため、重量物であるカメラを操作しても滑りにくく固定しやすい。
（３）カメラ操作者の体型に合わせてショルダパッドを予め複数作成しておき、必要に応じてショルダパッドを自由に着脱交換が可能である。
（４）ショルダパッド全体を植毛で覆うため高級感もあり、美感も良い。
（５）形状を３次元数値のデータ化しているため、ショルダパッド・樹脂型が破損・紛失しても再現製作が可能である。
本発明は、造形・注型法を用いてカメラ操作者の体型と操作法の要望に応じて自由に硬度を変え、型にフィット感を与え、かつ滑りを防止することで操作性を向上させた放送カメラ用ショルダパッドに関する。
【０００９】
【発明の効果】
以上のように、本発明によれば、内部には軟らかい発泡性樹脂部材を形成し、表層には表面の発泡の径が内部より小さく、発泡が内部より緻密に配され、平滑な発泡性部材を形成して、個々の操作者の要望に合わせた硬度を得ることが可能であり、かつ肩にフィット感を与えることが可能な放送カメラ用ショルダパッドを得られる。
【図面の簡単な説明】
【図１】放送用カメラを肩に載せるときに使用する本発明によるショルダパッドの構成を示す断面図である。
【図２】肩接触面からみた本発明によるショルダパッドの斜視図である。
【図３】本発明によるショルダパッドの多様な形状を示す図である。
【図４】放送カメラへのショルダパッド取付例を示す図である。
【図５】従来例によるパッドの構成を示す断面図である。
【符号の説明】
１　ポリウレタン樹脂
２　カメラ本体取付金具
３　カメラ本体取付穴
４　肩との接触面
５　カメラ本体取付面
６　発泡性樹脂部材
７　表面の発泡の径が内部より小さく、発泡が内部より緻密に配された発泡性部材
８　植毛層
【図１】
2004015510.tif 000003
【図２】
2004015510.tif 000004
【図３】
2004015510.tif 000005
【図４】
2004015510.tif 000006
【図５】
2004015510.tif 000007